(57)【特許請求の範囲】
【請求項１】
外部に設けられた映像信号源より第１のコンポーネントビデオ信号が入力されるコンポーネントビデオ信号受信手段と、
ＮＴＳＣ方式の映像信号源より入力されるコンポジットビデオ信号より第２のコンポーネントビデオ信号を生成するコンポーネントビデオ信号生成手段と、
前記第１および第２のコンポーネントビデオ信号の内一つを選択する選択手段と、
前記選択されたコンポーネントビデオ信号から前記クローズドキャプションを抽出するクローズドキャプション抽出手段と、
前記第１のコンポーネントビデオ信号の輝度信号から水平同期信号と垂直同期信号を抽出する同期分離手段と、
複数の映像信号形態を識別する識別データを格納する映像信号形態格納手段と、
前記抽出された水平同期信号および垂直同期信号を前記識別データと比較して前記第１のコンポーネントビデオ信号の形態を特定する形態特定手段と、
前記特定された形態が、クローズドキャプション信号の規約を満たしている場合にはクローズドキャプション抽出処理を行い、前記特定された形態がクローズドキャプション信号の規約を満たしていない場合にはクローズドキャプション処理を抑制するように前記クローズドキャプション抽出手段を制御する制御手段と、を備える表示装置。
【請求項２】
前記制御手段は、前記第２のコンポーネントビデオ信号が選択された場合は前記クローズドキャプション抽出手段を有効にすることを特徴とする請求項１に記載の表示装置。
【発明の詳細な説明】
【０００１】
【発明の属する技術分野】
本発明は、入力されるコンポーネントビデオ信号に重畳されているクローズドキャプションを誤表示しない表示装置に関する。
【０００２】
【従来の技術】
図５に、テレビ受信機等の従来の表示装置の概略構成を示す。従来の表示装置ＰＡは、色差信号復調器１、シンクセパレータ２、ＣＣデコーダ３、ＲＧＢプロセッサ４、およびディスプレイ５を含む。色差信号復調器１はＮＴＳＣ方式の輝度信号Ｙとクロマ信号Ｃより色差信号Ｕ（Ｂ−Ｙ）と色差信号Ｖ（Ｒ−Ｙ）を復調する。シンクセパレータ２は、輝度信号Ｙから水平同期信号Ｈ−ＳＹＮＣと垂直同期信号Ｖ−ＳＹＮＣとを分離して抽出する。
【０００３】
ＣＣデコーダ３は、ＮＴＳＣ方式の映像信号の第１フィールド２１Ｈ目に重畳されて送られるＶＢＩ信号であるクローズドキャプション信号からデータを抜き出し、オンスクリーン表示処理を行いＲＧＢ表示信号および切替信号ＹＳにデコードする。ＲＧＢプロセッサ４は、コンポーネントビデオ信号Ｙ、Ｕ、Ｖを元のＲ、Ｇ、Ｂ信号に復調する。ディスプレイ５は、ＣＲＴ等で構成されてＲＧＢ信号に基づいて画像を表示する。
【０００４】
以下に、上述の表示装置ＰＡの動作について簡単に説明する。従来のＮＴＳＣ方式による信号であるコンポジットビデオ信号は輝度信号Ｙとクロマ信号Ｃに分離された後、色差信号復調器１によって、輝度信号Ｙ、色差信号Ｕ、および色差信号Ｖからなるコンポートビデオ信号Ｓｃｖ（図示せず）に復調される。なお、輝度信号Ｙとクロマ信号ＣはいわゆるＳ端子から入力されても良い。
【０００５】
輝度信号Ｙは、色差信号復調器１に入力されるのと同時にシンクセパレータ２にも入力される。シンクセパレータ２は、輝度信号Ｙから水平同期信号Ｈ−ＳＹＮＣおよび垂直同期信号Ｖ−ＳＹＮＣを分離して、ＣＣデコーダ３およびディスプレイ５内の偏向器に出力する。
【０００６】
ＣＣデコーダ３は、輝度信号Ｙに重畳されているクローズドキャプション（以降、必要に応じて「ＣＣ」と略称する）信号Ｓｃｃからキャプションデータを抽出すると共に、シンクセパレータ２から入力される同期信号Ｈ−ＳＹＮＣ、Ｖ−ＳＹＮＣに同期したＲＧＢ信号Ｒ、Ｇ、およびＢと切替信号ＹＳを生成してＲＧＢプロセッサ４に出力する。
【０００７】
ＲＧＢプロセッサ４は、切替信号ＹＳ信号に基づいて、ＲＧＢプロセッサ４に出力するＲＧＢ信号のソースを切り替える。つまり、切替信号ＹＳが無効である場合には、色差信号復調器１から供給される輝度信号Ｙ、色差信号Ｕ、および色差信号ＶをＲＧＢ信号（Ｒ、Ｇ、Ｂ）に変換し出力する。一方、切替ＹＳ信号が有効な時は、ＣＣデコーダ３から入力されるＲＧＢ信号（Ｒ、Ｇ、Ｂ）をそのままディスプレイ５に出力する。
【０００８】
図６に、ＮＴＳＣ方式の映像信号（輝度信号Ｙ）に重畳されるクローズドキャプション信号波形の一例を示す。上述のように、クローズドキャプション信号Ｓｃｃは、第１フィールドの２１Ｈ目に重畳される。クローズド・キャプション信号Ｓｃｃは、クロックラインＣＬで同期合わせが行なわれ、スタートビットＳＢ（図ではＳと標記）とデータストリームＤＳの１６ビット（つまり２バイト単位）にデータが含まれ、２バイト系のコントロールデータ、１バイト系のキャラクタデータおよび２バイト系のスペシャルキャラクタから構成される。クロックラインＣＬと水平同期信号Ｈ−ＳＹＮＣの間には、カラーバーストＣＢがある。なお、クローズドキャプションのコード体系は、アメリカ合衆国連邦通信委員会（ＦＣＣ）の資料、ＦＣＣ９１―１１９、ＦＣＣ９２−１５７に詳しいのでこれ以上の説明は割愛する。
【０００９】
【発明が解決しようとする課題】
上記の従来例の様な表示装置では、クローズドキャプションデータ信号ＳｃｃがＮＴＳＣ方式の映像信号に重畳されている場合にはクローズドキャプションデータを抽出できるが、クローズドキャプションデータ信号がコンポーネントビデオ信号に重畳されている場合にはクローズドキャプションデータを抽出できない。つまり、 今後想定される輝度信号Ｙ、色差信号ＰＢ（Ｃｂ）、色差信号ＰＲ（Ｃｒ）から構成されるコンポーネントビデオ出力端子付きの映像機器の輝度信号Ｙにクローズドキャプションが重畳された場合には対応できない。
【００１０】
デジタル放送で放送が予定されている各種映像信号のモードは、４８０ｉ、４８０ｐ、および１０８０ｉ等である。これらは、当面ＳＴＢ（セットトップボックス）で受信し復調され、Ｙ、ＰＢ、ＰＲのコンポーネントで出力されテレビ受信機等の表示装置に接続される。これらの各種映像信号のモードに対し４８０ｉインターレスモード時は、クローズドキャプションが重畳されることが考えられる。その他の映像信号モードをデコードしたら誤判別することが考えられる。
【００１１】
つまり、表示装置ＰＡにおいては、非プログレッシブ対応であるＤＶＤプレーヤの様に４８０ｉのインターレース映像信号しか出力しない場合を前提としている。しかしながら、プログレッシブ対応のＤＶＤプレーヤが出現した場合、４８０ｉ以外の４８０ｐの有効走査線数４８０本相当のプログレッシブ映像信号が供給されることが考えられる。さらにデジタルテレビ放送が始まった場合デジタルテレビ用ＳＴＢからの出力信号は４８０ｐ以外に１０８０ｉのインターレース映像信号あるいは７２０ｐのプログレッシブ映像信号が供給されることが予想される。
【００１２】
これらのプログレッシブ信号をそのままコンポーネントビデオ信号Ｓｃｖとして表示装置ＰＡに入力しても、クローズドキャプション信号Ｓｃｃは４８０ｉ映像信号の２１Ｈに重畳することが前提とされており、４８０ｉ映像信号以外が入力された場合、ＣＣデコーダ３は、入力されたコンポーネントビデオ信号Ｓｃｖを誤判別して、誤った文字表示を行うことが懸念される。
【００１３】
本発明は上記の課題を解決するために成されたもので、４８０ｉモード以外の映像信号が入力されても、クローズドキャプションを誤表示しない表示装置を提供することを目的とする。
【００１４】
【課題を解決するための手段および発明の効果】
第１の発明は、外部に設けられた映像信号源より第１のコンポーネントビデオ信号が入力されるコンポーネントビデオ信号受信手段と、ＮＴＳＣ方式の映像信号源より入力されるコンポジットビデオ信号より第２のコンポーネントビデオ信号を生成するコンポーネントビデオ信号生成手段と、第１および第２のコンポーネントビデオ信号の内一つを選択する選択手段と、選択されたコンポーネントビデオ信号からクローズドキャプションを抽出するクローズドキャプション抽出手段と、前記第１のコンポーネントビデオ信号の輝度信号から水平同期信号と垂直同期信号を抽出する同期分離手段と、複数の映像信号形態を識別する識別データを格納する映像信号形態格納手段と、前記抽出された水平同期信号および垂直同期信号を前記識別データと比較して前記第１のコンポーネントビデオ信号の形態を特定する形態特定手段と、前記特定された形態が、クローズドキャプション信号の規約を満たしている場合にはクローズドキャプション抽出処理を行い、前記特定された形態がクローズドキャプション信号の規約を満たしていない場合にはクローズドキャプション処理を抑制するように前記クローズドキャプション抽出手段を制御する制御手段と、を備える表示装置である。
【００１５】
上記のように、第１の発明においては、選択されたコンポーネントビデオ信号の形態に応じてクローズドキャプション処理を制御できる。
【００１６】
第２の発明は、第１の発明において、制御器は、第２のコンポーネントビデオ信号が選択された場合はクローズドキャプション抽出器を有効にすることを特徴とする。
【００２０】
【発明の実施の形態】
（第１の実施の形態）
図１を参照して、本発明の第１の実施の形態にかかる表示装置の構造について説明する。表示装置ＰＩ１は、色差信号復調器１、ＣＣデコーダ３、ディスプレイ５、コンポーネントビデオ信号入力端子６、映像信号切替器７、シンクセパレータ８、ＲＧＢプロセッサ９、制御器１０、および同期信号検出器１１を含む。
【００２１】
コンポーネントビデオ信号入力端子６は、デジタルテレビ用ＳＴＢやＤＶＤプレーヤに代表される外部コンポーネントビデオ信号源から出力される輝度信号Ｙ、色差信号ＰＢ、および色差信号ＰＲを含む第１のコンポーネントビデオ信号Ｓｃｖ１を受ける。そして、コンポーネントビデオ信号入力端子６は、第１のコンポーネントビデオ信号Ｓｃｖ１に含まれる輝度信号Ｙ、色差信号ＰＢ、および色差信号ＰＲそれぞれを映像信号切替器７に出力する。
【００２２】
色差信号復調器１は、ＮＴＳＣ方式に代表される各種のテレビ標準方式のコンポジットビデオ信号に基づいて得られる輝度信号Ｙとクロマ信号Ｃとから、輝度信号Ｙと色差信号Ｕ（Ｂ−Ｙ）および色差信号Ｖ（Ｒ−Ｙ）を含む第２のコンポーネントビデオ信号Ｓｃｖ２を生成する。第２のコンポーネントビデオ信号Ｓｃｖ２に含まれる輝度信号Ｙ、色差信号Ｕ、および色差信号Ｖのそれぞれは映像信号切替器７に出力される。なお、色差信号復調器１に入力される輝度信号Ｙとクロマ信号Ｃは、例えば、ＮＴＳＣ方式のコンポジットビデオ信号をＹ／Ｃ分離器（図示せず）でＹ／Ｃ分離した出力、あるいはビデオテープレコーダのいわゆるＳ端子の出力より得られる。
【００２３】
映像信号切替器７は、制御器１０から入力される選択信号Ｓｗに基づいて、コンポーネントビデオ信号入力端子６から入力される第１のコンポーネントビデオ信号Ｓｃｖ１（Ｙ、ＰＢ、ＰＲ）および色差信号復調器１から入力される第２のコンポーネントビデオ信号Ｓｃｖ２（Ｙ、Ｕ、Ｖ）の何れか一方を選択的に出力する。選択信号Ｓｗはハイレベルとローレベルを有する二値信号である。選択信号Ｓｗがハイレベルの場合には、映像信号切替器７はコンポーネントビデオ信号入力端子６を選択し、ローレベルの場合には色差信号復調器１を選択するように構成される。
【００２４】
シンクセパレータ８は同期分離器で構成されて、映像信号切替器７から出力される第１のコンポーネントビデオ信号Ｓｃｖ１あるいは第２のコンポーネントビデオ信号Ｓｃｖ２に含まれる輝度信号Ｙから水平同期信号Ｈ−ＳＹＮＣと垂直同期信号Ｖ−ＳＹＮＣとを分離抽出して、ＣＣデコーダ３、ディスプレイ５、および制御器１０に出力する。
【００２５】
同期信号検出器１１は、あらかじめ予想される輝度信号Ｙ、色差信号ＰＢ、および色差信号ＰＲの各種形態におけるの水平同期周波数、垂直同期周波数を記憶し制御部１０に入力されるＨ−ＳＹＮＣおよびＶ−ＳＹＮＣの各信号の周波数を制御部１０内で計測したものと比較し入力されている映像信号の形態を特定する。
【００２６】
制御器１０は、利用者のリモコン（図示せず）利用による入力信号形態に応じて選択信号Ｓｗを生成して映像信号切替器７を制御する。さらに、制御器１０は同期信号検出器１１で特定された映像信号の形態に基づいて、制御信号Ｓｃを生成してＣＣデコーダ３を制御する。
【００２７】
ＣＣデコーダ３は、制御器１０から入力される制御信号Ｓｃに基づいて、ＮＴＳＣ方式の映像信号である第２のコンポーネントビデオ信号Ｓｃｖ２に重畳されているクローズドキャプション信号Ｓｃｃからクローズドキャプションデータを抜き出し、オンスクリーン表示処理を行いＲＧＢ信号（Ｒ、Ｇ、Ｂ）および切替信号ＹＳにデコードして、ＲＧＢプロセッサ９に出力する。
【００２８】
ＲＧＢプロセッサ９は、映像信号切替器７から入力される第１のコンポーネントビデオ信号Ｓｃｖ１（Ｙ、ＰＢ、ＰＲ）あるいは第２のコンポーネントビデオ信号Ｓｃｖ２（Ｙ、Ｕ、Ｖ）に応じたＲＧＢ信号を生成してディスプレイ５に出力する。
【００２９】
以下に表示装置ＰＩ１の動作を説明する。先ず、利用者はリモコンを利用して、表示装置ＰＩ１に入力される映像信号を選択する。制御部１０は、選択内容を判別し選択信号Ｓｗを生成して映像信号切替器７から出力される第１および第２のコンポーネントビデオ信号を任意に切替え制御する。利用者が同様にリモコン利用を使用して、クローズドキャプション機能を選択すると、制御部１０は制御信号Ｓｃを生成してＣＣデコーダ３を有効状態に設定する。
【００３０】
利用者がＮＴＳＣ側、つまり第２のコンポーネントビデオ信号Ｓｃｖ２を選択した場合、制御器１０は輝度信号Ｙ、色差信号Ｕ、および色差信号Ｖを入力信号とするべく、色差信号復調器１を選択するように映像信号切替器７を制御する選択信号Ｓｗを生成する。結果、映像信号切替器７から出力される第２のコンポーネントビデオ信号Ｓｃｖ２の輝度信号Ｙは、シンクセパレータ８にて水平同期信号Ｈ−ＳＹＮＣおよび垂直同期信号Ｖ−ＳＹＮＣに分離される。これらの同期信号Ｈ−ＳＹＮＣおよびＶ−ＳＹＮＣは、ディスプレイ５内にある偏向器に供給されると共にＣＣデコーダ３に供給されて、ＣＣデコーダ３から出力されるＲＧＢ信号および切替信号ＹＳに対する同期信号として寄与する。
【００３１】
なお、ＣＣデコーダ３においては、入力される輝度信号Ｙに重畳されているＶＢＩ信号であるクローズドキャプション信号Ｓｃｃからクローズドキャプションデータが取り込まれる。取り込まれたクローズドキャプションデータは、制御部１０の設定に応じて、ＣＣデコーダ３によってオンスクリーン表示展開され、ＲＧＢ信号（Ｒ、Ｇ、Ｂ）および切替信号ＹＳがＲＧＢプロセッサ９に出力される。
【００３２】
ＲＧＢプロセッサ９は、映像信号切替器７から択一的に選択されて出力される第１のコンポーネントビデオ信号Ｓｃｖ１（Ｙ、ＰＢ、ＰＲ）あるいは第２のコンポーネントビデオ信号Ｓｃｖ２（Ｙ、Ｕ、Ｖ）を、そのコンポーネントビデオ信号Ｓｃｖに応じたカラーマトリックスによりＲＧＢ信号（Ｒ、Ｇ、Ｂ）に変換してディスプレイ５に出力する。
【００３３】
但し、ＣＣデコーダ３から入力される切替信号ＹＳが有効な時は、ＣＣデコーダ３から入力されるＲＧＢ信号（Ｒ、Ｇ、Ｂ）がＲＧＢプロセッサ９に出力される。切替信号ＹＳが有効でない時は、映像信号切替器７から入力される第１のコンポーネントビデオ信号Ｓｃｖ１（Ｙ、ＰＢ、ＰＲ）あるいは第２のコンポーネントビデオ信号Ｓｃｖ２（Ｙ、Ｕ、Ｖ）から変換されたＲＧＢ信号（Ｒ、Ｇ、Ｂ）がＲＧＢプロセッサ９に出力される。ＲＧＢプロセッサ９は、入力されるＲＧＢ信号（Ｒ、Ｇ、Ｂ）に基づいて、画像表示する。
【００３４】
一方、利用者がコンポーネントビデオ信号入力端子６側、つまり第１のコンポーネントビデオ信号Ｓｃｖ１を選択した場合、制御器１０は輝度信号Ｙ、色差信号ＰＢ、および色差信号ＰＲを入力信号とするべく、コンポーネントビデオ信号入力端子６を選択するように映像信号切替器７を制御する選択信号Ｓｗを生成する。結果、映像信号切替器７から出力される第１のコンポーネントビデオ信号Ｓｃｖ１の輝度信号Ｙは、シンクセパレータ８にて水平同期信号Ｈ−ＳＹＮＣおよび垂直同期信号Ｖ−ＳＹＮＣに分離される。
【００３５】
これらの同期信号Ｈ−ＳＹＮＣおよびＶ−ＳＹＮＣは、ディスプレイ５内にある偏向器に供給されると共にＣＣデコーダ３に供給されて、ＣＣデコーダ３から出力されるＲＧＢ信号および切替信号ＹＳに対する同期信号として寄与する。以降の動作は、上述の利用者が第２のコンポーネントビデオ信号Ｓｃｖ２を選択した場合と同様であるので、説明を省略する。
【００３６】
さらに、図２に示すフローチャートを参照して、表示装置ＰＩ１におけるクローズドキャプション表示に関する動作について詳細に説明する。先ず、利用者はリモコンを利用して、表示装置ＰＩ１に入力される映像信号およびクローズドキャプション機能を選択指示する。
【００３７】
そして、ステップＳ２において、制御器１０は利用者の選択指示に基づいて、選択信号Ｓｗおよび制御信号Ｓｃを生成する。そして処理は、次のステップＳ４に進む。
【００３８】
ステップＳ４において、映像信号切替器７は選択信号Ｓｗに応答して第１のコンポーネントビデオ信号Ｓｃｖ１および第２のコンポーネントビデオ信号Ｓｃｖ２の何れか一方を出力する。ＣＣデコーダ３は制御信号Ｓｃに応答して、有効状態に設定される。そして処理は、ステップＳ６に進む。
【００３９】
ステップＳ６において、前述ステップＳ２において第１のコンポーネントビデオ信号Ｓｃｖ１（Ｙ、ＰＢ、ＰＲ）が選択された場合は、処理はステップＳ８に進む。
【００４０】
ステップＳ８において、制御器１０はシンクセパレータ８から入力される水平同期信号Ｈ−ＳＹＮＣおよび垂直同期信号Ｖ−ＳＹＮＣに基づいて、第１のコンポーネントビデオ信号Ｓｃｖ１の周波数を計測する。そして処理は、ステップＳ１０に進む。
【００４１】
ステップＳ１０において、制御器１０はステップＳ８において計測した第１のコンポーネントビデオ信号Ｓｃｖ１の周波数と、同期信号検出器１１に記憶されている各種周波数とを比較し、第１のコンポーネントビデオ信号Ｓｃｖ１の形態を特定する。そして処理は、ステップＳ１２に進む。
【００４２】
ステップＳ１２において、第１のコンポーネントビデオ信号Ｓｃｖ１の形態が特定できたか否かが判断される。Ｙｅｓの場合は、ステップＳ１４に進む。
【００４３】
ステップＳ１４においては、第１のコンポーネントビデオ信号Ｓｃｖ１に重畳されているクローズド・キャプション信号Ｓｃｃからクローズドキャプションデータを抽出して、ディスプレイ５に表示するクローズドキャプション処理サブルーチンが実行される。そして、処理を終了する。
【００４４】
一方、上述のステップＳ１２においてＮｏ、つまり第１のコンポーネントビデオ信号Ｓｃｖ１の形態を特定できない場合には、クローズドキャプション処理を正しく行なえないことを意味しているので、直ちに処理を終了する。
【００４５】
なお、上述のステップＳ６においてＮｏ、つまりクローズド・キャプション信号Ｓｃｃとしての規約を満たしてＮＴＳＣ形式である第２のコンポーネントビデオ信号Ｓｃｖ２が選択されている場合には、上述のステップＳ８、Ｓ１０、およびＳ１２で構成される映像信号形態特定処理が不要である。ゆえに、処理はステップＳ１４に進む。
【００４６】
制御器１０は、利用者のリモコン（図示せず）利用による入力信号形態に応じて選択信号Ｓｗを生成して映像信号切替器７を制御する。さらに、制御器１０は同期信号検出器１１で特定された映像信号の形態に基づいて、制御信号Ｓｃを生成してＣＣデコーダ３を制御する。
【００４７】
利用者がＮＴＳＣ側、つまり第２のコンポーネントビデオ信号Ｓｃｖ２を選択した場合、制御器１０は輝度信号Ｙ、色差信号Ｕ、および色差信号Ｖを入力信号とするべく、色差信号復調器１を選択するように映像信号切替器７を制御する選択信号Ｓｗを生成する。結果、映像信号切替器７から出力される第２のコンポーネントビデオ信号Ｓｃｖ２の輝度信号Ｙは、シンクセパレータ８にて水平同期信号Ｈ−ＳＹＮＣおよび垂直同期信号Ｖ−ＳＹＮＣに分離される。これらの同期信号Ｈ−ＳＹＮＣおよびＶ−ＳＹＮＣは、ディスプレイ５内にある偏向器に供給されると共にＣＣデコーダ３に供給されて、ＣＣデコーダ３から出力されるＲＧＢ信号および切替信号ＹＳに対する同期信号として寄与する。
【００４８】
なお、ＣＣデコーダ３においては、入力される輝度信号Ｙに重畳されているＶＢＩ信号であるクローズドキャプション信号Ｓｃｃからクローズドキャプションデータが取り込みまれる。取り込まれたクローズドキャプションデータは、制御部１０の設定に応じて、ＣＣデコーダ３によってオンスクリーン表示展開され、ＲＧＢ信号（Ｒ、Ｇ、Ｂ）および切替信号ＹＳがＲＧＢプロセッサ９に出力される。
【００４９】
ＲＧＢプロセッサ９は、映像信号切替器７から択一的に選択されて出力される第１のコンポーネントビデオ信号Ｓｃｖ１（Ｙ、ＰＢ、ＰＲ）あるいは第２のコンポーネントビデオ信号Ｓｃｖ２（Ｙ、Ｕ、Ｖ）を、そのコンポーネントビデオ信号Ｓｃｖに応じたカラーマトリックスによりＲＧＢ信号（Ｒ、Ｇ、Ｂ）に変換してディスプレイ５に出力する。
【００５０】
但し、ＣＣデコーダ３から入力される切替信号ＹＳが有効な時は、ＣＣデコーダ３から入力されるＲＧＢ信号（Ｒ、Ｇ、Ｂ）がＲＧＢプロセッサ９に出力される。切替信号ＹＳが有効でない時は、映像信号切替器７から入力される第１のコンポーネントビデオ信号Ｓｃｖ１（Ｙ、ＰＢ、ＰＲ）あるいは第２のコンポーネントビデオ信号Ｓｃｖ２（Ｙ、Ｕ、Ｖ）から変換されたＲＧＢ信号（Ｒ、Ｇ、Ｂ）がＲＧＢプロセッサ９に出力される。ＲＧＢプロセッサ９は、入力されるＲＧＢ信号（Ｒ、Ｇ、Ｂ）に基づいて、画像表示する。
【００５１】
一方、利用者がコンポーネントビデオ信号入力端子６側、つまり第１のコンポーネントビデオ信号Ｓｃｖ１を選択した場合、制御器１０は輝度信号Ｙ、色差信号ＰＢ、および色差信号ＰＲを入力信号とするべく、コンポーネントビデオ信号入力端子６を選択するように映像信号切替器７を制御する選択信号Ｓｗを生成する。結果、映像信号切替器７から出力される第１のコンポーネントビデオ信号Ｓｃｖ１の輝度信号Ｙは、シンクセパレータ８にて水平同期信号Ｈ−ＳＹＮＣおよび垂直同期信号Ｖ−ＳＹＮＣに分離される。
【００５２】
これらの同期信号Ｈ−ＳＹＮＣおよびＶ−ＳＹＮＣは、ディスプレイ５内にある偏向器に供給されると共にＣＣデコーダ３に供給されて、ＣＣデコーダ３から出力されるＲＧＢ信号および切替信号ＹＳに対する同期信号として寄与する。以降の動作は、上述の利用者が第２のコンポーネントビデオ信号Ｓｃｖ２を選択した場合と同様であるので、説明を省略する。
【００５３】
この様に、表示装置ＰＩ１においては、クローズドキャプション信号Ｓｃｃが輝度信号Ｙおよびクロマ信号Ｃとして入力される場合も、輝度信号Ｙ、色差信号ＰＢ、および色差信号ＰＲとして入力される場合も、共にＣＣデコーダ３によってクローズドキャプションデータを取り込んで、オンスクリーン表示できる。
【００５４】
表示装置ＰＩ１に関する上述の開示に基づいて、本発明にかかる表示装置ＰＩの基本的概念について説明する。利用者がコンポーネントビデオ信号入力端子６側を選択した場合、第１のコンポーネントビデオ信号Ｓｃｖ１（Ｙ、ＰＢ、ＰＲ）を供給する映像信号源として用いられる映像機器は、非プログレッシブ対応であるＤＶＤプレーヤの様に４８０ｉのインターレース映像信号しか出力しない場合を前提としている。
【００５５】
しかしながら、プログレッシブ対応のＤＶＤプレーヤが出現した場合、４８０ｐの有効走査線数４８０本相当のプログレッシブ映像信号が供給されることが考えられる。さらにデジタルテレビ放送が始まった場合デジタルテレビ用ＳＴＢからの出力信号は４８０ｐ以外に１０８０ｉのインターレース映像信号あるいは７２０ｐのプログレッシブ映像信号がコンポーネントビデオ信号入力端子６に供給されることが予想される。
【００５６】
これらのプログレッシブ信号をそのまま第１のコンポーネントビデオ信号Ｓｃｖ１として表示装置ＰＩ１に入力しても、ＲＧＢプロセッサ９は輝度信号Ｙ、色差信号ＰＢ、および色差信号ＰＲを正しく処理できる。しかしながら、クローズドキャプション信号Ｓｃｃは４８０ｉ映像信号の２１Ｈに重畳することが前提とされており、４８０ｉ映像信号以外が入力された場合、ＣＣデコーダ３は、入力された第１のコンポーネントビデオ信号Ｓｃｖ１を誤判別して、誤った文字表示を行うことが懸念される。
【００５７】
この様に事態を防止するために、制御器１０がディスプレイ５にて実際に表示されるコンポーネントビデオ信号Ｓｃｖの輝度信号Ｙから抽出された水平同期信号Ｈ−ＳＹＮＣおよび垂直同期信号Ｖ−ＳＹＮＣに基づいて、コンポーネントビデオ信号Ｓｃｖ１の周波数特性を検出する。そして、制御器１０はさらに、検出された周波数特性を同期信号検出器１１に記憶されたデータと照合して、ディスプレイ５で表示するコンポーネントビデオ信号Ｓｃｖの形態を特定する。コンポーネントビデオ信号Ｓｃｖがクローズド・キャプション信号Ｓｃｃの規約を満たしている場合にはクローズドキャプション処理を行い、規約を満たしていない場合にはクローズドキャプション処理を抑制して、クローズドキャプションの誤表示を防止するものである。
【００５８】
（第２の実施の形態）
図３に示すように、本実施の形態にかかる表示装置ＰＩ２は、図１に示した表示装置ＰＩ１を構成する同期信号検出器１１が同期信号検出器１１Ｒに置き換えられている。さらに、シンクセパレータ８から出力される水平同期信号Ｈ−ＳＹＮＣおよび垂直同期信号Ｖ−ＳＹＮＣは、制御器１０に出力されずに同期信号検出器１１Ｒに入力される。同期信号検出器１１と異なり、同期信号検出器１１Ｒは、シンクセパレータ８から入力される水平同期信号Ｈ−ＳＹＮＣおよび垂直同期信号Ｖ−ＳＹＮＣにも基づいて、表示装置ＰＩ２に入力されている映像信号の形態を特定する。
【００５９】
結果、利用者がコンポーネントビデオ信号入力端子６側（第１のコンポーネントビデオ信号Ｓｃｖ１）を選択した場合、同期信号検出器１１Ｒは、シンクセパレータ８から入力される水平同期信号Ｈ−ＳＹＮＣおよび垂直同期信号Ｖ−ＳＹＮＣの周波数測定を行い、同期信号検出部１１Ｒにあらかじめ記憶された映像信号の周波数表と比較を行う。制御部１０が４８０ｉ映像信号以外の映像信号が入力されたと判断した場合、制御部１０はあらかじめ利用者がＣＣデコーダ３を有効に設定していても直ちに無効設定する。
【００６０】
なお、表示装置ＰＩ２の動作は、図２のフローチャートに示す表示装置ＰＩ１と非常に類似しているので、主な相違点についてのみ下記に述べる。表示装置ＰＩ２においては、制御器１０に代わって同期信号検出器１１Ｒが周波数計測（Ｓ６）、周波数比較（Ｓ１０）および映像信号形態特定（Ｓ１２）を行う。結果、表示装置ＰＩ１に比べて、制御器１０の負荷を軽減でき、さらに同期信号検出器１１Ｒが常にコンポーネントビデオ信号Ｓｃｖをモニターして形態を特定しているので、利用者によるクローズドキャプション表示指示に対する応答性が改善される。
【００６１】
なお、利用者がＮＴＳＣ側を選択した場合、輝度信号Ｙ、クロマ信号Ｃで構成される第２のコンポーネントビデオ信号Ｓｃｖ２は４８０ｉの信号である。これは、水平同期信号Ｈ−ＳＹＮＣが１５．７３４ｋＨｚであり、垂直同期信号Ｖ−ＳＹＮＣが５９．９４Ｈｚである。
【００６２】
図４を参照して、本発明の第２の実施の形態にかかる表示装置の変形例について説明する。本変形例にかかる表示装置ＰＩ２Ｒは、図３に示した表示装置ＰＩ２を構成する制御器１０が制御器１０Ｒに置き換えられている。さらに、シンクセパレータ８から出力される水平同期信号Ｈ−ＳＹＮＣおよび垂直同期信号Ｖ−ＳＹＮＣが同期信号検出器１１Ｒと共に制御器１０Ｒにも入力される。結果、制御器１０Ｒも入力される第１のコンポーネントビデオ信号Ｓｃｖ１の周波数に基づいて、映像信号（Ｓｃｖ１）の形態をより正確に認識できる。
【００６３】
上述のように、本発明によれば、テレビ受信機等の表示装置にコンポーネントビデオ入力端子を設けた場合も、従来のコンポジットビデオ信号あるいはＳ信号からの入力の時と同様にクローズドキャプションを利用することが出来る。さらにコンポーネントビデオ信号端子から４８０ｉ映像信号以外の４８０ｐ、７２０ｐ、１０８０ｉ等の各種の映像信号を入力した場合も、誤判別することなく適切なＣＣ信号処理を行うことが出来るという極めて優れた効果を得ることが出来る。
正しくクローズドキャプション信号を取り込み画面上に再生し、かつ４８０ｉ映像信号以外の時はクローズドキャプション信号を誤判別して取り込むことがない様にしたことで利用者に対して自然な操作感で違和感なくクローズドキャプション利用を出来るようにしたという極めて優れた効果を得ることが出来る。
【図面の簡単な説明】
【図１】本発明の第１の実施の形態にかかる表示装置の構成を示すブロック図である。
【図２】図１の表示装置におけるクローズドキャプション処理に関する動作を示すフローチャートである。
【図３】本発明の第２の実施の形態にかかる表示装置の構成を示すブロック図である。
【図４】図３の表示装置の変形例を示すブロック図である。
【図５】従来の表示装置の構成を示すブロック図である。
【図６】クローズドキャプション信号の波形例を示す図
【符号の説明】
ＰＩ１、ＰＩ２、ＰＩ２Ｒ、ＰＡ  表示装置
１  色差信号復調器
３  ＣＣデコーダ
４  ＲＧＢプロセッサ
５  ディスプレイ
６  コンポーネントビデオ入力端子
７  映像信号切替器
８  シンクセパレータ
９  ＲＧＢプロセッサ
１０、１０Ｒ  制御器
１１、１１Ｒ  同期信号検出器
【図１】
0004644348.tif 000002
【図２】
0004644348.tif 000003
【図３】
0004644348.tif 000004
【図４】
0004644348.tif 000005
【図５】
0004644348.tif 000006
【図６】
0004644348.tif 000007